(57)【特許請求の範囲】
【請求項１】
液体化粧料等を収納することができる容器本体と、この容器本体の口部材の上端部に取り付けられた中栓と、前記容器本体の口部材の外周部のねじ部と螺合して内面がこの中栓上部と当接することで開口部を開閉することができる合成樹脂材製のねじ蓋およびこのねじ蓋の外周面を覆う金属材製の金冠から成るキャップによって構成される液体化粧料等の収納容器において、金冠とねじ蓋は軸心方向にスライド移動可能ではあるが回動不能とし、金冠には開口端寄りの内面に係合溝を形成しねじ蓋の外壁面には金冠の係合溝に係止されるリング状の係止片を形成することで常時はこの係合溝が係止片を係止することで金冠とねじ蓋を分解不能とし、ねじ蓋には係止片が圧迫されることで破断あるいは倒れこみやすくするために強度的に弱くした折断部を係止片上部に形成するとともに係止片が倒れこみやすくする折断切欠をねじ蓋の開口端寄りの部位に形成し、中栓を取り外して前記キャップを前記容器本体の口部材のねじ部に螺合させると金冠の下端面が前記容器本体の肩部に当接して金冠が下方に進むことが阻止され、さらに強く螺合させることでねじ蓋だけが下方に進むことにより、ねじ蓋の折断部が圧迫され折断し、金冠との係止状態が解除されて開口部方向にスライド移動して分解することができるねじ蓋分解機能を設けたことを特徴とする液体化粧料等の収納容器。
【請求項２】
液体化粧料等を収納することができる容器本体と、この容器本体の口部材の上端部に取り付けられた中栓と、前記容器本体の口部材の外周部のねじ部と螺合して内面がこの中栓上部と当接することで開口部を開閉することができる合成樹脂材製のねじ蓋およびこのねじ蓋の外周面を覆う金属材製の金冠から成るキャップによって構成される液体化粧料等の収納容器において、前記容器本体の口部材のねじ部下方位置に凸部を設け、金冠とねじ蓋は軸心方向にスライド移動可能ではあるが回動不能とし、金冠には開口端寄りの内面に係合溝を形成しねじ蓋の外壁面には金冠の係合溝に係止されるリング状の係止片を形成することで常時はこの係合溝が係止片を係止することで金冠とねじ蓋を分解不能とし、ねじ蓋には係止片が圧迫されることで破断あるいは倒れこみやすくするために強度的に弱くした折断部を係止片上部に形成するとともに係止片が倒れこみやすくする折断切欠をねじ蓋の開口端寄りの部位に形成し、中栓を取り外して前記キャップを前記容器本体の口部材のねじ部に螺合させるとねじ蓋の下端面が前記容器本体の凸部に当接してねじ蓋が下方に進むことが阻止され、さらに強く螺合させることで、ねじ蓋の折断部が圧迫され折断し、金冠との係止状態が解除されて開口部方向にスライド移動して分解することができるねじ蓋分解機能を設けたことを特徴とする液体化粧料等の収納容器。
【発明の詳細な説明】
【０００１】
【産業上の利用分野】
本発明は液体化粧料等を収納する瓶等の収納容器に関するものである。
【０００２】
【従来の技術】
従来、この種の容器は液体化粧料等を収納することができる容器本体と、この容器本体の口部材に取り付けられた中栓と、前記容器本体の口部材の外周部のねじ部と螺合して該開口部を開閉することができる金属材製の金冠および該金冠内に接着剤等を用いて固定した合成樹脂材製のねじ蓋とからなるキャップとで構成されている。
【０００３】
【本発明が解決しようとする課題】
従来この種の容器は、金属材製の金冠と合成樹脂材製のねじ蓋とでキャップを構成したものを使用しているため、リサイクルするために分解する場合、ねじ蓋と金冠とを外すことが大変で、手数がかかり、コスト高になるという欠点があった。
【０００４】
本発明は以上のような従来の欠点に鑑み、使用時には金冠よりねじ蓋が外れるのを確実に防止することができると共に、リサイクルする場合には中栓を外してキャップを締めることにより、容易に金冠よりねじ蓋を外して分離することができる液体化粧料等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的な範囲を限定するものではない。
【０００６】
【課題を解決するための手段】
上記目的を達成するため、本発明は液体化粧料等を収納することができる容器本体と、この容器本体の口部材の上端部に取り付けられた中栓と、前記容器本体の口部材の外周部のねじ部と螺合して内面がこの中栓上部と当接することで開口部を開閉することができる合成樹脂材製のねじ蓋およびこのねじ蓋の外周面を覆う金属材製の金冠から成るキャップによって構成される液体化粧料等の収納容器において、金冠とねじ蓋は軸心方向にスライド移動可能ではあるが回動不能とし、金冠には開口端寄りの内面にリング状に係合溝を形成しねじ蓋の外壁面には金冠の係合溝に係止される係止片を形成することで常時はこの係合溝が係止片を係止することで金冠とねじ蓋を分解不能とし、ねじ蓋には係止片が圧迫されることで破断あるいは倒れこみやすくするために強度的に弱くした折断部を係止片上部に形成するとともに係止片が倒れこみやすくする折断切欠をねじ蓋の開口端寄りの部位に形成し、中栓を取り外して前記キャップを前記容器本体の口部材のねじ部に螺合させると金冠の下端面が前記容器本体の肩部に当接して金冠が下方に進むことが阻止され、さらに強く螺合させることでねじ蓋だけが下方に進むことにより、ねじ蓋の折断部が圧迫され折断し、金冠との係止状態が解除されて開口部方向にスライド移動して分解することができるねじ蓋分解機能を設けたことで液体化粧料等の収納容器を構成している。
【０００７】
【発明の実施例】
以下、図面に示す実施例により本発明を詳細に説明する。
【０００８】
図１ないし図４に示す発明の第１の実施の形態において、１は化粧水や乳液等の液体化粧料２が収納されるガラス製、陶製、合成樹脂材製等の瓶形状の容器本体で、この容器本体１の口部材３の外周部にはねじ部４が形成されている。
【０００９】
６は前記容器本体１の口部材３の開口部を開閉することができるキャップで、このキャップ６は金属材製の金冠７と、この金冠７内に軸心方向にスライド移動可能ではあるが常時は抜け出し不能に取り付けられ内壁面に前記容器本体１の口部材３の外周部に形成されたねじ部４と螺合するねじ部８が形成されたねじ蓋９によって構成され、金冠７の内壁面に形成された軸心方向の係合片１１とねじ蓋９の外周部に形成された金冠７の係合溝１２と係合するガイド溝１３が係合することによりねじ蓋９は金冠７に回動不能ではあるがスライド移動可能とされている。
【００１０】
５は前記容器本体１の口部材３の上端部に挿入固定された合成樹脂材製の中栓で、この中栓５は中央部に液体化粧料２を取り出す穴が形成され上端部がフランジ状に形成され、このフランジ状部が容器本体１の上端部と当接することで中栓５は容器本体内に落ち込み防止とされるとともに、その中央部の穴がねじ蓋９内面と当接することでパッキンの役目もしている。
【００１１】
１０はねじ蓋分解機構でこのねじ蓋分解機構１０は、金冠７には開口端寄りの部位にリング状に係合溝１２を形成し、ねじ蓋９の外壁面にはこの係合溝１２に係止される係止片１４をリング状に形成し、常時はこの係合溝１２が係止片１４を係止することで金冠７とねじ蓋９を分解不能としてあるが、ねじ蓋９を分解する際にはネジ蓋９の係止片１４が破断あるいは内面側に倒れこめばよいもので、上下方向に圧迫されると破断あるいは内面側に倒れこみやすくするために薄肉にすることで強度的に弱くした折断部１６を係止片１４上部の外周に折断溝１５を付けることで形成し、さらに係止片１４がより倒れこみやすくするための折断切欠１７をねじ蓋９の開口端寄りの部位に複数個形成したことで構成している。
【００１２】
ねじ蓋９の分解を行うにはまず中栓５を取り外して前記キャップ６を前記容器本体１の口部材３のねじ部４に螺合させるが、常時ならばねじ蓋６の内面が中栓５上部と当接することでキャップ６はそれ以上下へ進むことはできない。しかし、中栓５を外した状態ではねじ蓋９の内面が容器本体１の上端部に当接するまで、少なくとも中栓５のフランジ状に形成される部分の厚み分だけはキャップ６は下方に進み、それによってまず、金冠７の下端面が前記容器本体１の肩部に当接して金冠７が下方に進むことが阻止される。
【００１３】
キャップ６をさらに強く螺合させるとねじ蓋９だけが下方に進むことになり、それによって折断部１６が上下方向に圧迫されることになり、それによって強度的に弱くした折断部１６が折断切欠１７の作用も加わって、倒れこんで最後には折断する。それによって金冠７とねじ蓋９の係合溝１２と係止片１４による係止が解除されることにより金冠７とねじ蓋６の係止状態が解除されて金冠７をスライド移動してねじ蓋９と分離することができる。
【００１４】
上記構成の液体化粧料等の収納容器１８は使用状態では容器本体１の口部材３に中栓５が挿入固定されているため、キャップ６を口部材３の外周部のねじ部４に螺合させても、金冠７の下端面が容器本体１の肩部に当接することがなく、金冠７とねじ蓋９とが一体になっており、従来と同様に使用することができる。
【００１５】
【発明の異なる実施例】
次に、図５ないし図１９に示す本発明の異なる実施の形態につき説明する。なお、これらの本発明の異なる実施の形態の説明にあたって、前記発明の第１の実施の形態と同一構成部分には同一符号を付して重複する説明を省略する。
【００１６】
図５ないし図８に示す本発明の第２の実施の形態において、前記本発明の第１の実施の形態と主に異なる点は、前記ねじ蓋９に設けられた折断溝１５をねじ蓋９の内面に設けて、これを折断溝１５Ａとし、この様に形成されたねじ蓋９Ａを用いたキャップ６Ａを使用した点で、この様に形成されたキャップ６Ａを用いた液体化粧料等の収納容器１８Ａにしても、前記本発明の第１の実施の形態と同様な作用効果が得られる。
【００１７】
図９ないし図１２に示す本発明の第３の実施の形態において、前記本発明の第２の実施の形態と主に異なる点は、前記ねじ蓋９Ａに形成された折断溝１５Ａをねじ状にした折断溝１５Ｂとし、この様に形成されたねじ蓋９Ｂを用いたキャップ６Ｂを使用した点で、この様に形成されたキャップ６Ｂを用いた液体化粧料等の収納容器１８Ｂにしても、前記本発明第２の実施の形態と同様な作用効果が得られる。
【００１８】
図１３ないし図１６に示す本発明の第４の実施の形態において、前記本発明の第１の実施の形態と主に異なる点は、前記ねじ蓋９の内面に設けた折断溝１５をなくし、折断切欠１７をＴ字形状にした折断切欠１７Ａを設け、このＴ字間の距離が短くなることで強度的に弱くした折断部１６Ｃを形成したねじ蓋９Ｃを用いたキャップ６Ｃを使用した点で、この様に形成されたキャップ６Ｃを用いた液体化粧料等の収納容器１８Ｃにしても、前記本発明の第１の実施の形態と同様な作用効果が得られる。
【００１９】
図１７ないし図１９に示す本発明の第５の実施の形態において、前記本発明の第１の実施の形態と主に異なる点は、前記容器本体１の口部材３の外周部に形成されたねじ部４の下部に環状または放射状に凸部１９を設けた容器本体１Ｄを使用した点で、前記容器本体１Ｄのねじ部４に前記キャップ６を螺合させて締め付けると、ねじ蓋９のねじ部８と口部材３の外周部のねじ部４との螺合によって、ねじ蓋９が下方へスライド移動し、ねじ蓋９の下端部が容器本体１Ｄの凸部１９に当接して停止されるが、さらに強く螺合させることにより、ねじ蓋９が下方へスライド移動するため、ねじ蓋９の折断部１６が圧迫され前記の実施例と同様に、折断部１６が折断され、係合溝１２との係止状態が解除される。上記のように形成された容器本体１Ｄを用いた液体化粧料等の収納容器１８Ｄにしても、前記本発明の第１の実施の形態と同様な作用効果が得られる。
【００２０】
また、前記本発明の第５の実施の形態において、容器本体１Ｄにキャップ６Ａ、６Ｂ、６Ｃのいずれを使用しても同様の作用効果が得られる。
【００２１】
なお、前記本発明の各実施の形態では容器本体１に化粧水や乳液等の液体化粧料２を収納するものについて説明したが、本発明はこれに限らず、化粧品以外の液体やゼリー状、粒体等の中身を使用してもよい。
【００２２】
【発明の効果】
以上の説明から明らかなように、本発明にあっては次に列挙する効果が得られる。
【００２３】
(１)キャップに金冠とねじ蓋のねじ蓋分解機能を設けたので、使用時には金冠よりねじ蓋が外れるのを確実に防止することができると共に、リサイクルする場合には容器本体の口部材に取り付けられている中栓を取り外してキャップをすることにより、ねじ蓋分解機構によって金冠に係止されているねじ蓋の係止状態を解除することができる。
したがって、係止状態を解除したキャップを容器本体より外すことにより、ねじ蓋を金冠より容易に取り外すことができ、材質ごとに分別することができる。
【００２４】
(２)前記(１)によって、外から見た状態では従来と同様な形状になっているので、いたずらや、誤って金冠とねじ蓋とが外れたりするのを確実に防止することができる。したがって、安全に使用することができる。
【００２５】
(３)前記(１)によって、中栓を取り外してキャップを容器本体に締め付けるだけでよいので、その作業が容易で短時間に行うことができ、リサイクルのコストの低減をはかることができる。
【００２６】
(４)請求項２も前記(１)から(３)と同様な効果が得られる。
【図面の簡単な説明】
【図１】  本発明の第１の実施の形態の断面図。
【図２】  本発明の第１の実施の形態のキャップの説明図。
【図３】  本発明の第１の実施の中栓を取り外してさらに強くキャップを閉めた状態の断面図。
【図４】  本発明の第１の実施の金冠とねじ蓋の取り外し状態の断面図。
【図５】  本発明の第２の実施の形態の断面図。
【図６】  本発明の第２の実施の形態のキャップの説明図。
【図７】  本発明の第２の実施の中栓を取り外してさらに強くキャップを閉めた状態の断面図。
【図８】  本発明の第２の実施の金冠とねじ蓋の取り外し状態の断面図。
【図９】  本発明の第３の実施の形態の断面図。
【図１０】  本発明の第３の実施の形態のキャップの説明図。
【図１１】  本発明の第３の実施の中栓を取り外してさらに強くキャップを閉めた状態の断面図。
【図１２】  本発明の第３の実施の金冠とねじ蓋の取り外し状態の断面図。
【図１３】  本発明の第４の実施の形態の断面図。
【図１４】  本発明の第４の実施の形態のキャップの説明図。
【図１５】  本発明の第４の実施の中栓を取り外してさらに強くキャップを閉めた状態の断面図。
【図１６】  本発明の第４の実施の金冠とねじ蓋の取り外し状態の断面図。
【図１７】  本発明の第５の実施の形態の断面図。
【図１８】  本発明の第５の実施の中栓を取り外してさらに強くキャップを閉めた状態の断面図。
【図１９】  本発明の第５の実施の金冠とねじ蓋の取り外し状態の断面図。
【符号の説明】
１、１Ｄ：容器本体、
２：液体化粧料、
３：口部材、
４：ねじ部、
５：中栓、
６、６Ａ、６Ｂ、６Ｃ：キャップ、
７：金冠、
８：ねじ部、
９、９Ａ、９Ｂ、９Ｃ：ねじ蓋、
１０：ねじ蓋分解機能、
１１：係合片、
１２：係合溝、
１３：ガイド溝、
１５、１５Ａ、１５Ｂ：折断溝、
１６、１６Ｃ：折断部、
１７、１７Ａ：折断切欠、
１８、１８Ａ、１８Ｂ、１８Ｃ、１８Ｄ：液体化粧料等の収納容器、
１９：凸部、
【図１】
0004079487.tif 000002
【図２】
0004079487.tif 000003
【図３】
0004079487.tif 000004
【図４】
0004079487.tif 000005
【図５】
0004079487.tif 000006
【図６】
0004079487.tif 000007
【図７】
0004079487.tif 000008
【図８】
0004079487.tif 000009
【図９】
0004079487.tif 000010
【図１０】
0004079487.tif 000011
【図１１】
0004079487.tif 000012
【図１２】
0004079487.tif 000013
【図１３】
0004079487.tif 000014
【図１４】
0004079487.tif 000015
【図１５】
0004079487.tif 000016
【図１６】
0004079487.tif 000017
【図１７】
0004079487.tif 000018
【図１８】
0004079487.tif 000019
【図１９】
0004079487.tif 000020